(57)【特許請求の範囲】
【請求項１】
記録紙を給送する給紙部と、
前記給紙部から給送される記録紙に対して画像形成を行う画像形成部と、
前記画像形成部による画像形成後の記録紙に後処理を施す後処理部と、
印刷ジョブに従って前記給紙部、画像形成部、及び後処理部を動作制御して印刷を行わせる印刷ジョブ実行部と、
前記印刷ジョブ実行部により、複数部数を印刷して部毎に後処理を行う印刷・後処理ジョブが実行される場合に、第１部目の少なくとも先頭ページの画像データにおいて後処理が施される位置及び後処理が施され得る位置にそれぞれ予め定められたマークを付加する後処理位置マーキング部と、
操作者から印刷指示を受け付ける操作部とを備え、
前記印刷ジョブ実行部は、前記印刷・後処理ジョブを実行するとき、第１部目を、後処理を施さずに印刷して、前記印刷・後処理ジョブを一時停止し、前記第１部目の印刷物が前記後処理部に載置され、操作者からジョブ再開指示が前記操作部に受け付けられた場合に、前記後処理部に、前記第１部目の印刷物の後処理を行わせ、第２部目から前記印刷・後処理ジョブを再開する画像形成装置。
【請求項２】
前記印刷ジョブ実行部は、前記印刷・後処理ジョブの一時停止中に、前記操作部に後処理位置の変更指示が受け付けられた場合、該変更指示に従って前記印刷・後処理ジョブにおける後処理位置を変更する請求項１に記載の画像形成装置。
【請求項３】
タッチパネル式の表示部と、
前記表示部による画像表示動作を制御する制御部とを更に備え、
前記操作部は、前記表示部に対する操作者によるタッチ操作を受け付け、
前記制御部が、前記印刷・後処理ジョブの一時停止中に、前記表示部に前記第１部目の先頭ページを示す画像を表示させているときに、前記操作部が、当該画像における前記マークのいずれかがタッチ操作されたことを検知したとき、前記印刷ジョブ実行部は、前記印刷・後処理ジョブにおける後処理位置を、前記タッチ操作されたと検知されたマークに対応する後処理位置に変更する請求項２に記載の画像形成装置。
【請求項４】
タッチパネル式の表示部と、
前記表示部による画像表示動作を制御する制御部とを更に備え、
前記操作部は、前記表示部に対する操作者によるタッチ操作を受け付け、
前記制御部が、前記印刷・後処理ジョブの一時停止中に、前記表示部に前記第１部目の先頭ページに印刷された前記マークにそれぞれ対応するアイコンを表示させ、前記操作部が、該アイコンのいずれかがタッチ操作されたと検知したとき、前記印刷ジョブ実行部は、前記印刷・後処理ジョブにおける後処理位置を、前記タッチ操作されたと検知されたアイコンに対応する後処理位置に変更する請求項２に記載の画像形成装置。
【請求項５】
表示部と、
前記表示部による画像表示動作を制御する制御部とを更に備え、
前記操作部は、数字キーを有し、
前記制御部は、前記印刷・後処理ジョブの一時停止中に、前記表示部に前記第１部目の先頭ページに印刷された前記マークにそれぞれ対応する数字を表示させ、前記操作部は、いずれかの数字キーが押下されたことを検知し、
前記印刷ジョブ実行部は、前記印刷・後処理ジョブにおける後処理位置を、前記操作部により押下が検知された数字キーに対応する後処理位置に変更する請求項２に記載の画像
形成装置。
【発明の詳細な説明】
【技術分野】
【０００１】
本発明は、画像形成装置に関し、特に、ステイプル処理やパンチ処理等の後処理を伴う印刷について試し印刷を行う技術に関する。
【背景技術】
【０００２】
ステイプル処理やパンチ処理等の後処理を伴う印刷において意図した位置にステイプル処理やパンチ処理が施されないと、大量の記録紙やトナーが無駄に消費されるばかりか印刷のやり直しに伴う時間や労力の無駄も発生する。このため、いきなり通常の印刷を行うのではなく先に試し印刷を行ってステイプルやパンチの位置を確認することがある。
【０００３】
例えば、下記特許文献１には、通常は１枚の記録紙にはステイプル処理されないところ、記録紙１枚だけであってもステイプル処理を可能にして試し印刷を行う技術が開示されている。また、下記特許文献２には、ページを縮小して試し印刷して、その縮小印刷したページ中にステイプルの位置を印刷する技術が開示されている。
【先行技術文献】
【特許文献】
【０００４】
【特許文献１】特開平８−８７２０５号公報
【特許文献２】特開２００１−２４６８２０号公報
【発明の概要】
【発明が解決しようとする課題】
【０００５】
上記特許文献１及び特許文献２のいずれにおいても、試し印刷された印刷物はステイプル位置の確認のためだけに使用され、廃棄するより他はない。すなわち、試し印刷に使用された少なくとも１枚の記録紙、トナー及び電力が無駄になってしまうという問題がある。
【０００６】
本発明は、上記の問題を解決するためになされたもので、ステイプル処理やパンチ処理等の後処理を伴う印刷において試し印刷をした場合における記録紙の無駄を削減することを目的とする。
【課題を解決するための手段】
【０００７】
本発明の一局面に係る画像形成装置は、記録紙を給送する給紙部と、
前記給紙部から給送される記録紙に対して画像形成を行う画像形成部と、
前記画像形成部による画像形成後の記録紙に後処理を施す後処理部と、
印刷ジョブに従って前記給紙部、画像形成部、及び後処理部を動作制御して印刷を行わせる印刷ジョブ実行部と、
前記印刷ジョブ実行部により、複数部数を印刷して部毎に後処理を行う印刷・後処理ジョブが実行される場合に、第１部目の少なくとも先頭ページの画像データにおいて後処理が施される位置及び後処理が施され得る位置にそれぞれ予め定められたマークを付加する後処理位置マーキング部とを備え、
前記印刷ジョブ実行部は、前記印刷・後処理ジョブを実行するとき、第１部目を、後処理を施さずに印刷して、前記印刷・後処理ジョブを一時停止する。
【発明の効果】
【０００８】
本発明によれば、ステイプル処理やパンチ処理等の後処理を伴う印刷において印刷において試し印刷をした場合における記録紙の無駄を削減することができる。
【図面の簡単な説明】
【０００９】
【図１】本発明の一実施形態に係る画像形成装置の構造を示す図である。
【図２】画像形成装置の内部構成を示す機能ブロック図である。
【図３】試し印刷された第１部目の先頭ページの印刷例を示す図である。
【図４】画像形成装置により印刷・後処理ジョブの実行時に試し印刷を行う際の処理を示すフローチャートである。
【図５】後処理位置の変更を受け付けるための操作画面の一例を示す図である。
【図６】後処理位置の変更を受け付けるための操作画面の別例を示す図である。
【図７】後処理位置の変更を受け付けるための操作画面の更に他の例を示す図である。
【図８】図５に示した操作画面を操作する様子を示す図である。
【発明を実施するための形態】
【００１０】
以下、本発明の一実施形態に係る画像形成装置について図面を参照して説明する。図１は、本発明の一実施形態に係る画像形成装置の構造を示す図である。画像形成装置１は、例えば、コピー機能、プリンター機能、スキャナー機能、及びファクシミリ機能等の複数の機能を兼ね備えた複合機である。画像形成装置１は、装置本体１１に、画像形成部１２、定着部１３、給紙部１４、記録紙排出部１５、原稿搬送部６、及び原稿読取部５等を備えて構成されている。更に、画像形成装置１は、後処理装置６０を備えている。なお、後処理装置６０は、特許請求の範囲にいう後処理部に相当する。
【００１１】
画像形成部１２は、給紙部１４から給紙される記録紙Ｐにトナー像を形成する画像形成動作を行う。画像形成済の記録紙Ｐは、排出ローラー１９４により排出トレイ１５１へ向けて排出される。
【００１２】
搬送路１９０は、記録紙排出部１５に向かう第１搬送路１９６と、後処理装置６０に向かう第２搬送路１９７とに分岐している。この分岐点１９５には、分岐点１９５に向けて搬送されてくる記録紙Ｐを第１搬送路１９６又は第２搬送路１９７のいずれかに振り分けて案内する切換部１９８が設けられている。切換部１９８は、記録紙Ｐの搬送方向上流側に向かって尖った先端部を有し、この先端部が回動して、分岐前の搬送路１９０から第１搬送路１９６又は第２搬送路１９７に向かう搬送路部分の一方を閉じることによって、当該閉じられていない搬送路部分に繋がる第１搬送路１９６又は第２搬送路１９７に向けて記録紙Ｐを搬送させる。
【００１３】
画像形成装置１は、更に、後処理装置６０を備える。後処理装置６０は、原稿台６００、パンチ部６０１、搬送ローラー対６０２、記録紙受台６０３、搬送ローラー対６２０、排出ローラー対６０７、排出トレイ６２３、及び搬送分岐ガイド６２４を備えている。
【００１４】
更に、後処理装置６０は、ステイプル装置６２５、受止部材６２６、及び搬送ローラー対６２７を備える。
【００１５】
原稿台６００は、後処理装置６０に後処理を行わせる原稿が載置される台である。
【００１６】
パンチ部６０１は、装置本体１１の排出ローラー対１５９又は原稿台６００から搬入されてきた複数枚の記録紙Ｐ（画像形成後の記録紙、及び原稿台６００上の原稿のいずれも含む）に対して、後処理の１つとしてパンチ処理を行う。
【００１７】
記録紙受台６０３は、搬送ローラー対６０２，６２０により搬送されてきた記録紙Ｐ又は原稿を記録紙束として一時的にストックする。
【００１８】
排出ローラー対６０７は、当該後処理装置６０から記録紙Ｐが排出される記録紙排出部６０６に配設され、搬送ローラー対６０２，６２０から搬送されてきた記録紙Ｐと、記録紙受台６０３から搬送されてきた記録紙束Ｐ１とを、排出トレイ６２３に排出する。
【００１９】
ステイプル装置６２５は、記録紙受台６０３に搬入された記録紙Ｐに後処理としてのステイプル処理を施す。
【００２０】
受止部材６２６は、記録紙受台６０３に搬入された記録紙Ｐの下部端を受け止めて保持する。搬送ローラー対６２７は、記録紙受台６０３から下向に向かって記録紙Ｐ又は記録紙束Ｐ１を搬送する。
【００２１】
記録紙受台６０３は、受止部材６２６を記録紙束Ｐ１の搬出方向に移動させる駆動部（図略）を備える。そして、駆動制御部６１１（図２）からの制御信号に応じて駆動部が駆動することにより、受止部材６２６で保持された記録紙束Ｐ１は、排出ローラー対６０７まで搬送され、排出ローラー対６０７によって記録紙排出部６０６から排出トレイ６２３に排出される。
【００２２】
ステイプル装置６２５は、駆動制御部６１１からの制御信号により駆動する図示しない駆動部により移動可能に構成され、記録紙受台６０３に搬入された記録紙Ｐに通常のステイプル処理を行う場合は記録紙Ｐの端付近の位置に移動させられると共に記録紙Ｐの端付近にステイプル処理を施し、ブック綴じを行う場合には記録紙Ｐの中央付近に移動させられると共に記録紙Ｐの中央付近にステイプル処理を施して中綴じを行う。
【００２３】
また、画像形成装置１においては、記録紙Ｐに対する後処理の設定、及び画像転写後の記録紙Ｐにブック綴じ処理を行う設定等は、操作者が画像形成装置１の操作部４７から操作指示を入力することによって可能とされている。
【００２４】
次に、後処理装置６０を備える画像形成装置１の電気的構成を説明する。図２は画像形成装置１の内部構成を示す機能ブロック図である。
【００２５】
原稿読取部５は、画像照射ランプにより原稿を照射し、その反射光をＣＣＤセンサーで受光することにより、原稿から画像を読み取る。
【００２６】
画像処理部３１は、原稿読取部５で読み取られた画像の画像データを必要に応じて画像処理する。
【００２７】
画像メモリー３２は、上記原稿読取部５で読み取られた画像データ等を記憶する。
【００２８】
記録紙搬送部４１１は、図１に示した給紙ローラー１４５及び搬送ローラー対１９２等から構成され、手差しトレイ１４１，給紙カセット１４２，１４３，１４４に収納されている記録紙Ｐを画像形成部１２、及び後処理装置６０に通じる排出ローラー対６０７及び記録紙排出部６０６まで搬送する。なお、排出ローラー対６０７及び記録紙排出部６０６も記録紙搬送部４１１を構成する。
【００２９】
操作部４７は、図２に加えて図１にも示すように、画像形成装置１が実行可能な各種動作及び処理について操作者からの指示を受け付ける。操作部４７は、タッチパネル機能を備えた（タッチパネル式の）表示部４７３を備えている。
【００３０】
制御ユニット１０は、プロセッサー、ＲＡＭ、ＲＯＭ及び専用のハードウェア回路等から構成される。プロセッサーは、例えば、ＣＰＵ(Central Processing Unit)、ＭＰＵ、ＡＳＩＣ等である。制御ユニット１０は、制御部１０１、印刷ジョブ実行部１０２、及び後処理位置マーキング部１０３を備えている。制御ユニット１０は、例えば、ＨＤＤ８１に記憶されている制御プログラムに従って動作することにより、制御部１０１、印刷ジョブ実行部１０２、及び後処理位置マーキング部１０３として機能する。
【００３１】
制御部１０１は、原稿読取部５、画像処理部３１、画像メモリー３２、記録紙搬送部４１１、画像形成部１２、操作部４７、ＨＤＤ（ハードディスクドライブ）８１等と接続されている。制御部１０１は、接続されている上記各機構の制御や、各機構との間での信号又はデータの送受信を行う。
【００３２】
また、制御部１０１は、操作者から操作部４７等を通じて受け付けられるジョブの実行指示に従って、スキャナー機能、コピー機能及びプリンター機能の各機能についての制御を実行するために必要な各機構部の駆動及び処理を制御する。特に、制御部１０１は、表示部４７３の表示を制御する。表示部４７３のタッチパネル機能は、表示部４７３に対する操作者のタッチ操作を受け付ける。
【００３３】
また、制御部１０１は、後処理装置６０に接続されている。後処理装置６０は、制御ユニット６１０と、昇降部６０５と、ローラー駆動装置６５２とを備えている。なお、後処理装置６０は、上述した各機構を有するが、ここでは、排出トレイ６２３の昇降制御に関係する各部を示すものとする。
【００３４】
制御ユニット６１０は、ＣＰＵ、ＲＡＭ、ＲＯＭ及び専用のハードウェア回路等から構成される。制御ユニット６１０は、駆動制御部６１１と、メモリー６１２とを備える。
【００３５】
駆動制御部６１１は、後処理装置６０の全体的な制御を司る。駆動制御部６１１は、装置本体１１側の制御部１０１と通信により連携し、後処理装置６０の各機構の動作を制御し、或いは、装置本体１１側の表示部４７３等の動作機構を制御する。
【００３６】
ローラー駆動装置６５２は、排出ローラー対６０７に回転駆動力を付与するモーター等の動力発生装置である。ローラー駆動装置６５２は、制御部１０１及び駆動制御部６１１により駆動制御される。ローラー駆動装置６５２は、他のローラー、例えば搬送ローラー対６０２，６２０等にも回転駆動力を付与する。
【００３７】
制御ニット１０について更に説明する。印刷ジョブ実行部１０２は、印刷ジョブを実行する。すなわち、印刷ジョブ実行部１０２は、印刷ジョブに従って給紙部１４、画像形成部１２、及び後処理装置６０等を動作制御して印刷を行わせる。
【００３８】
特に、印刷ジョブ実行部１０２は、複数部数を印刷して部毎に後処理を行う印刷ジョブである印刷・後処理ジョブを実行する場合に、試し印刷を実行する。具体的には、印刷ジョブ実行部１０２は、試し印刷として、第１部目を画像形成部１２により印刷させてから印刷・後処理ジョブを一時停止する動作を実行させる。このとき、印刷ジョブ実行部１０２は、当該第１部目に後処理が施されないように後処理装置６０に指示を出す。そして、操作者が当該第１部目の印刷物の内容を確認し、それを後処理装置６０の原稿台６００に載置する。この後に操作部４７に操作者からの印刷ジョブ再開指示が受け付けられると、印刷ジョブ実行部１０２は、原稿台６００に載置された当該第１部目の印刷物に後処理を施すように後処理装置６０に指示を出す。後処理装置６０により当該第１部目の印刷物に後処理が施されると、印刷ジョブ実行部１０２は、第２部目から印刷・後処理ジョブを再開する。なお、印刷ジョブ実行部１０２は、印刷・後処理ジョブの実行時、第２部目以降は通常印刷、すなわち、後処理を伴った印刷を行わせる。
【００３９】
なお、印刷ジョブ実行部１０２は、印刷・後処理ジョブの一時停止中に、操作者から後処理位置の変更指示が操作部４７に受け付けられた場合、該変更指示に従って該印刷・後処理ジョブにおける後処理位置を変更する。これについては後述する。
【００４０】
後処理位置マーキング部１０３は、第１部目の先頭ページの画像データにおいて後処理が施される位置及び後処理が施され得る位置にそれぞれ予め定められたマークを付加する。従って、印刷・後処理ジョブにおいて試し印刷が実行されると、第１部目の先頭ページにおいて後処理が施される位置及び後処理を施すことが可能な他の位置にそれぞれ上記マークが印刷されることとなる。
【００４１】
図３は、試し印刷された第１部目の先頭ページの印刷例を示す図である。なお、本実施形態で実行される印刷・後処理ジョブでは、図３における記録紙Ｐの左上位置にステイプル処理を行う設定とされ、及び左側部にパンチ処理を行う後処理が設定されているものとする。この場合、後処理位置マーキング部１０３により、先頭ページ（記録紙Ｐ）において、左上位置にステイプル処理される位置を示すマーク２０ａを示す画像が付加され、左側部にパンチ処理される位置を示すマーク２１ａを示す画像が付加され、当該各マーク画像付加後の先頭ページを示す画像が印刷される（図３）。マーク２０ａは実際のステイプルと同程度の長さ及び太さの実線の線分で示され、マーク２１ａは実際のパンチと同程度の大きさの二つの実線の円で示される。これにより、操作者は、試し印刷された第１部目の先頭ページを見て、意図した位置に後処理が施されているか否かを確認することができる。
【００４２】
更に、先頭ページ（記録紙Ｐ）において、後処理位置マーキング部１０３により、後処理を施すことが可能な他の位置にも、マーク画像が付加され、当該各マーク画像付加後の先頭ページを示す画像が印刷される（図３）。例えば、図３における記録紙Ｐの右上、左下、及び右下の各位置にステイプル処理可能な位置を示すマーク２０ｂ、２０ｃ、２０ｄが後処理位置マーキング部１０３によりそれぞれ付加され、記録紙Ｐの右側部、上端部、及び下端部にパンチ処理可能な位置を示すマーク２１ｂ、２１ｃ、２１ｄが後処理位置マーキング部１０３によりそれぞれ付加され、当該各マーク画像付加後の先頭ページを示す画像が印刷される（図３）。なお、実際に後処理が施される位置を示すマーク２０ａ及び２１ａと区別するために、例えば、マーク２０ｂ及び２１ｂは２点線で、マーク２０ｃ及び２１ｃは３点線で、マーク２０ｄ及び２１ｄは４点線でそれぞれ画像が表現される。後述するように、操作者は試し印刷された記録紙Ｐを確認して、ステイプル処理及びパンチ処理される位置を、操作部４７の操作により変更又はキャンセルすることができる。
【００４３】
次に、画像形成装置１による後処理を伴う印刷・後処理ジョブにおける試し印刷処理について説明する。図４は、画像形成装置により印刷・後処理ジョブの実行時に試し印刷を行う際の処理を示すフローチャートである。
【００４４】
印刷ジョブ実行部１０２は、印刷対象データを複数部数印刷する印刷・後処理ジョブを開始させるものとする。このとき、印刷ジョブ実行部１０２は、当該印刷・後処理ジョブにおいて印刷対象としている画像データのうち、１ページ目の画像データを読み出し（Ｓ１）、当該１ページ目が、印刷対象データの示す複数ページ群の先頭ページであるか否かを判断する（Ｓ２）。ここで１ページ目とは最初に印刷処理して排出すべきページのことをいう。なお、フェイスダウンで記録紙Ｐを排出する場合には先頭ページから順に印刷されるため印刷対象データの先頭ページが１ページ目に該当する。一方、フェイスアップで記録紙Ｐを排出する場合には最終ページから逆順に印刷されるため印刷対象データの最終ページが１ページ目に該当する。
【００４５】
印刷ジョブ実行部１０２が、上記１ページ目が上記先頭ページではないと判断した場合（Ｓ２でＮＯ）、制御部１０１は、画像形成部１２等を制御して当該ページの画像データを記録紙Ｐに印刷する（Ｓ３）。一方、印刷ジョブ実行部１０２が、上記１ページ目が印刷・後処理ジョブの先頭ページであると判断した場合（Ｓ２でＹＥＳ）、後処理位置マーキング部１０３は、当該画像データにおいて後処理が施される位置、及び後処理を施すことが可能な他の位置にそれぞれ、上述したマークを付加する（Ｓ４）。このとき、後処理位置マーキング部１０３は、実際に後処理が施される位置には実線のマーク（例えば、図３のマーク２０ａ又は２１ａ）を付加し、それ以外に後処理が可能な位置には点線のマーク（例えば、図３のマーク２０ｂ〜２０ｄ又は２１ｂ〜２１ｄ）を付加する。そして、制御部１０１は、画像形成部１２等を制御して当該マークが付加された画像データを記録紙Ｐに印刷する（Ｓ３）。後処理位置マーキング部１０３は、印刷・後処理ジョブにより、後処理としてステイプルが行われる場合にマーク２０ａ及びマーク２０ｂ〜２０ｄを付加し、後処理としてパンチが行われる場合にマーク２１ａ及びマーク２１ｂ〜２１ｄを付加する。なお、ここでは、後処理位置マーキング部１０３は、先頭ページにのみ上記マークを付加するが、他のページにもマークを付加するようにしてもよい。
【００４６】
なお、画像処理後の記録紙Ｐの排出先は、装置本体１１側の排出トレイ１５１及び後処理装置６０側の排出トレイ６２３のいずれでもよい。
【００４７】
印刷ジョブ実行部１０２は、印刷・後処理ジョブに印刷すべき次ページがあるか否かを判断し、次ページがある場合には（Ｓ５でＹＥＳ）、当該次ページの画像データを読み出し（Ｓ６）、当該次ページが印刷・後処理ジョブの先頭ページであるか否かを判断する（Ｓ２）。以後、第１部目の印刷・後処理ジョブの全ページの印刷が終わるまで（Ｓ５でＮＯ）、上記ステップＳ２〜Ｓ５を繰り返す。
【００４８】
印刷・後処理ジョブで第１部全ページの印刷が終わると、印刷ジョブ実行部１０２は、当該第１部目の印刷物に後処理を施すことなく印刷・後処理ジョブを一時停止する（Ｓ７）。これにより、操作者は、排出された当該第１部の印刷物を視認することで、印刷が開始された早期の時点で、後処理が施される位置を実際の記録紙Ｐ上で確認することができる。印刷・後処理ジョブが一時停止すると、制御部１０１は、後処理位置の変更を受け付けるための操作画面を表示部４７３に表示させる（Ｓ８）。
【００４９】
図５は、後処理位置の変更を受け付けるための操作画面の一例を示す図である。図５に例を示すように、例えば、制御部１０１は、印刷・後処理ジョブの一時停止中に、表示部４７３に第１部目の先頭ページのイメージｉｍ１を表示させる。本実施形態では、当該先頭ページは、後処理としてステイプル及びパンチの両方が行われる例を示している。このとき、制御部１０１は、当該イメージｉｍ１において、ステイプルが施される位置を示すマークｍｋ１に、操作者からの操作を受け付けるための画像である透過ボタン８２を重ねて表示させる。また、制御部１０１は、当該イメージｉｍ１において、パンチが施される位置を示すマークｍｋ２に、操作者からの操作を受け付けるための画像である透過ボタン８３を重ねて表示させる。
【００５０】
図６は、後処理位置の変更を受け付けるための操作画面の別例を示す図である。例えば、制御部１０１は、印刷・後処理ジョブの一時停止中に、表示部４７３に、第１部目の先頭ページに印刷されるステイプル位置を示す上記マーク（図３）に対応するアイコン８４１〜８４４と、パンチ位置を示す上記マーク（図３）に対応するアイコン８５１〜８５４とを表示させる。このとき、制御部１０１は、後処理が施される位置を示すマークに対応するアイコン８４１，８５１については、他のアイコンとは表示形態を異ならせて強調表示し、当該アイコンが選択されていることを表すようにする。
【００５１】
図７は、後処理位置の変更を受け付けるための操作画面の更に他の例を示す図である。例えば、表示部４７３が画像を表示することができないキャラクターディスプレイである場合には、制御部１０１は、当該表示部４７３に、第１部目の先頭ページに印刷されたマーク（図３）にそれぞれ対応する数字を表示させる。このとき、制御部１０１は、例えば「１．ジッセン」等のように各数字の後に各マークの説明文も表示させる。
【００５２】
図４へ戻り、制御部１０１は、後処理位置の変更を受け付けるための操作画面（図５〜図７に示した操作画面のいずれか）を表示部４７３に表示させる。例えば、図５の例では、制御部１０１が表示部４７３に表示されたイメージ中の任意のマークがタッチ操作されたことを検知すると（Ｓ９でＹＥＳ）、印刷ジョブ実行部１０２は、印刷・後処理ジョブにおける後処理位置を、制御部１０１によりタッチ操作されたと検知されたマークが示す後処理位置に変更する（Ｓ１０）。
【００５３】
図８は、図５に示した操作画面を操作する様子を示す図である。例えば、操作者がイメージ右上のステイプル位置を示すマークｍｋ３にタッチ操作を行い、制御部１０１がタッチパネル機能により当該タッチ操作の位置を検知すると、制御部１０１は、マークｍｋ２に透過ボタン８８を重ねて表示させる。当該タッチ操作の検知に基づいて、印刷ジョブ実行部１０２は、後処理位置を、それまでのマークｍｋ１が示す位置から、タッチ操作された位置であるマークｍｋ３が示す位置に変更する指示を受け付ける。
【００５４】
なお、操作者が透過ボタン８２，８３にタッチ操作を行い、制御部１０１がタッチパネル機能により当該タッチ操作の位置を検知すると、当該タッチ操作の検知に基づいて、印刷ジョブ実行部１０２は、タッチ操作が行われた位置であるマークが示す位置における後処理をキャンセル指示を受け付ける。図８では、記録紙左側のパンチ処理がキャンセルされた例を示している。
【００５５】
また、図６の例では、制御部１０１が表示部４７３に表示されたアイコン８４１〜８４４，８５１〜８５４のいずれかがタッチ操作されたことを検知すると（Ｓ９でＹＥＳ）、印刷ジョブ実行部１０２は、印刷・後処理ジョブにおける後処理位置を、制御部１０１によりタッチ操作されたと検知されたアイコンに対応する後処理位置に変更する（Ｓ１０）。
【００５６】
図７の例では、制御部１０１が操作部４７に配置された数字キー４７４のいずれかが押下されたことを検知すると（Ｓ９でＹＥＳ）、印刷ジョブ実行部１０２は、印刷・後処理ジョブにおける後処理位置を、制御部１０１により押下検知された数字キー４７４に対応する後処理位置に変更する（Ｓ１０）。
【００５７】
図４を参照した説明に戻る。上記操作画面の表示後（Ｓ８）、印刷ジョブ実行部１０２は、操作者から印刷ジョブ再開指示を待つ。例えば図５及び図６に示すジョブ再開ボタン８９がタッチ操作されたことを、タッチパネル機能により制御部１０１が検知すると（Ｓ１１でＹＥＳ）、印刷ジョブ実行部１０２は一時停止していた印刷・後処理ジョブを再開する。図７の例では、制御部１０１が操作部４７の一部としてのスタートボタン（図略）が押下されたことを検知すると（Ｓ１１でＹＥＳ）、印刷ジョブ実行部１０２は一時停止していた印刷・後処理ジョブを再開する。印刷ジョブの再開指示がなければ（Ｓ１１でＮＯ）、ステップＳ９の処理が行われる。
【００５８】
印刷ジョブ実行部１０２は、印刷・後処理ジョブを再開させると、まず、後処理装置６０の原稿台６００に原稿、すなわち試し印刷された第１部目の印刷物が積載されているか否かを判断する（Ｓ１２）。例えば、印刷ジョブ実行部１０２は、原稿台６００に設けられた図略の用紙検知センサーからの出力に基づいて、当該原稿台６００における第１部目の印刷物積載の有無を判断する。
【００５９】
印刷ジョブ実行部１０２が、原稿台６００に原稿が載置されていないと判断した場合は（Ｓ１２でＮＯ）、制御部１０１、表示部４７３にエラーを示すメッセージを表示させる（Ｓ１３）。これにより、操作者に対して、試し印刷した第１部目の印刷物を原稿台６００に載置するよう促す。Ｓ１３の後、処理はＳ１２に戻る。
【００６０】
一方、印刷ジョブ実行部１０２が、原稿台６００に原稿が載置されていると判断した場合は（Ｓ１２でＹＥＳ）、印刷ジョブ実行部１０２は、後処理装置６０に、原稿台６００に載置された原稿の後処理を行わせる（Ｓ１４）。これにより、試し印刷した第１部目の印刷物に後処理が施され、印刷ジョブ実行部１０２は、当該後処理が施された第１部目の印刷物を、後処理装置６０の排出トレイ６２３に排出させる。
【００６１】
この後、印刷ジョブ実行部１０２は、第２部目以降の印刷を実行する（Ｓ１５）。第２部目以降については、印刷ジョブ実行部１０２は、印刷ジョブの一時停止をすることなく、印刷処理に続けて後処理も実行する。
【００６２】
以上のように本実施形態によれば、ステイプル処理やパンチ処理等の後処理を伴う印刷において、まず第１部目が試し印刷され、その先頭ページにおいて後処理が施される位置に予め定められたマークが印刷される。これにより、操作者は、印刷が開始された早期の時点で、後処理が施される位置を実際の記録紙Ｐ上で確認することができる。そして、試し印刷した第１部目の印刷物を後処理装置６０の原稿台６００に戻すことで、当該第１部目に後処理を施すことが可能である。これにより、試し印刷により、印刷が開始された早期の時点で、後処理が施される位置を実際の記録紙Ｐ上で確認しつつ、試し印刷に使用された記録紙Ｐを無駄にせずに最終成果物として利用することができる。なお、簡単な操作で意図した位置に後処理の位置を変更することも可能である。
【００６３】
以上、本発明の実施形態について説明したが、本発明は上記実施の形態の構成に限られず種々の変形が可能である。例えば、上記実施形態では、本発明に係る画像形成装置の一実施形態として複合機を用いて説明しているが、これは一例に過ぎず、他の電子機器、例えば、プリンター、コピー機、ファクシミリ装置等の他の画像形成装置でもよい。また、後処理はステイプル処理及びパンチ処理に限られず、これ以外のものであってもよい。
【００６４】
また、図１乃至図８を用いて上記実施形態により示した構成は、本発明の一実施形態に過ぎず、本発明を当該構成に限定する趣旨ではない。
【符号の説明】
【００６５】
１              画像形成装置
１２            画像形成部
１４            給紙部
４７            操作部
４７３          表示部
４７４          数字キー
１０１          制御部
１０２          印刷ジョブ実行部
１０３          後処理位置マーキング部
６０            後処理装置（後処理部）
２０ａ〜２０ｄ  マーク
２１ａ〜２１ｄ  マーク
８４１〜８４４  アイコン
８５１〜８５４  アイコン
【図１】
0006489062.tif 000002
【図２】
0006489062.tif 000003
【図３】
0006489062.tif 000004
【図４】
0006489062.tif 000005
【図５】
0006489062.tif 000006
【図６】
0006489062.tif 000007
【図７】
0006489062.tif 000008
【図８】
0006489062.tif 000009